(57)【要約】【課題】  収容している歯科用液体材料がノズルから出始める時に一瞬だけ勢い良くノズル先端から飛び出す現象及び使用者の意図する時に滴下が止まらない現象が起こらない歯科用液体材料用のスクイズ容器を提供する。【解決手段】  可撓性を有する胴体部の上端に内容液排出用のノズルを備え、使用時にノズル部を下に向け胴体部を押圧してノズルから内容液を排出するスクイズ容器において、内径０．１〜１ｍｍのパイプがノズルの内側へ向かって１０〜４０ｍｍ突出して設けられていることを特徴とする歯科用液体材料用のスクイズ容器とする。【選択図】  図１
2006305064.tif 000002
【特許請求の範囲】
【請求項１】
可撓性を有する胴体部（３）の上端に内容液排出用のノズル（１）を備え、使用時にノズル（１）を下に向け胴体部（３）を押圧してノズル（１）から内容液（Ｍ）を排出するスクイズ容器において、内径（２ａ）０．１〜１ｍｍのパイプ（２）がノズル（１）の内側へ向かって１０〜４０ｍｍ突出して設けられていることを特徴とする歯科用液体材料用のスクイズ容器。
【請求項２】
パイプ（２）がノズル（１）と一体で成形されている請求項１に記載の歯科用液体材料用のスクイズ容器。
【発明の詳細な説明】
【技術分野】
【０００１】
本発明は、その上端に内容液排出用のノズルを備え使用時に該ノズルを下に向け胴体部を押圧してノズルから内容液を排出するスクイズ容器に関する。
【背景技術】
【０００２】
従来から歯科治療においては、恒久的な歯冠補綴物や橋義歯が出来るまでの暫間クラウン、破折した義歯床や人工歯の修理，窩洞の仮封等の用途には歯科用常温重合レジンが広く用いられている。歯科用常温重合レジンは、モノマーを主成分とする液体とポリマーを主成分とする粉体との二成分を基本とする歯科用材料であり、ラジカル重合性を有するモノマーを同種のポリマーと混合することで重合させる。
【０００３】
この歯科用材料の液体（以後、歯科用液体材料と称することがある。）は１回の使用量が１〜６ｃｃ程度と比較的少ないので、使用に際しては別途用意された小さなカップ状の容器に移し専用の粉体材料と混合練和等する。そのため歯科用液体材料は可撓性を有する胴体部と、その上端に内容液排出用のノズルとを備えた専用のスクイズ容器に入れられており、使用の際には歯科用液体材料が入ったスクイズ容器を傾けて机上に置かれた小さなカップ内にノズルを向けた後、歯科用液体材料が小さなカップ内に入るように注意しながら胴体部を押圧しノズルから内容液である歯科用液体材料をカップ内へ排出する。
【０００４】
このとき、歯科用液体材料は一般的にメチルメタクリレート等の低分子量のモノマーであるために粘度及び表面張力が非常に小さく、スクイズ容器を傾けると歯科用液体材料がノズルから出始める時に一瞬だけ勢い良くノズルの先端から飛び出して小さなカップを外れて飛び散ってしまう問題があり、特にノズルの内径が先細り形状を成す歯科用液体材料用のスクイズ容器で顕著である。また液をカップ等に排出している際にも、使用者が排出を止めようとしてスクイズを緩めても直ちに排出が止まらないという問題もあった。
【０００５】
これらの問題は歯科用液体材料を小さなカップに入れる時に限らず、「ふりかけ法」と呼ばれる歯科用粉体材料を予め歯牙模型上等にふりかけておいておき、その上に場所を決めて歯科用液体材料を少しずつ滴下する際にも発生し、狙った滴下場所を外れて歯科用液体材料が飛び出してしまったり、使用者の意図する以上に滴下してしまうので操作性が非常に悪かった。
【０００６】
これらの現象を防ぐ方法としては、ノズルの内径を小さく絞ったりノズル内に抵抗となる構造を与える方法がある（例えば、特許文献１参照。）。しかし、スクイズ容器を傾けた後の過剰な液の排出を抑える効果はあっても、歯科用液体材料がノズルから出始める時に一瞬だけ突出してしまう等の諸現象を抑えることはできず、また、たとえ現象が低減されたとしても、その後の歯科用液体材料の排出に時間がかかってしまうという問題がある。
【０００７】
スクイズ容器の胴体が過剰に撓まないようにスクイズ規制筒を入れる方法もあるが（例えば、特許文献２，３参照。）、歯科用液体材料の突出はスクイズ容器の撓みが無い状態でも起こる現象なのでこれでは十分な抑制効果は得られなかった。
【０００８】
【特許文献１】特開２００２−２６４９７３号公報
【特許文献２】特開２００３−２２６３７７号公報
【特許文献３】特開２００２−０６８３２９号公報
【発明の開示】
【発明が解決しようとする課題】
【０００９】
そこで本発明は、収容している歯科用液体材料がノズルから出始める時に一瞬だけ勢い良くノズル先端から飛び出す現象及び使用者の意図する時に滴下が止まらない現象を抑えることができる歯科用液体材料用のスクイズ容器を提供することを課題とする。
【課題を解決するための手段】
【００１０】
本発明者等は前記課題を解決するために鋭意検討をした結果、スクイズ容器を傾けた際に、内容液である歯科用液体材料がノズルに向かって一気に集中しない構造とし、同時に該構造に対してノズルに特定の内部構造を与えると前記全ての課題を解決することが可能であることを見出して本発明を完成した。
【００１１】
即ち本発明は、可撓性を有する胴体部の上端に内容液排出用のノズルを備え、使用時にノズルを下に向け胴体部を押圧してノズルから内容液を排出するスクイズ容器において、内径０．１〜１ｍｍのパイプがノズルの内側へ向かって１０〜４０ｍｍ突出して設けられていることを特徴とする歯科用液体材料用のスクイズ容器であり、パイプがノズルと一体で成形されていても良い歯科用液体材料用のスクイズ容器である。
【発明の効果】
【００１２】
本発明に係る歯科用液体材料用のスクイズ容器は、収容している歯科用液体材料がノズルから出始める時に一瞬だけ勢い良くノズル先端から飛び出す現象及び使用者の意図する時に排出が止まらない現象が起こり難く、歯科用液体材料を小さなカップに入れる際にカップを外れて飛び散ってしまうという問題及び歯科における「ふりかけ法」においても狙った滴下場所を外れてしまう等の問題の無い優れた歯科用液体材料用のスクイズ容器である。
【発明を実施するための最良の形態】
【００１３】
以下、図面により本発明に係る歯科用液体材料用のスクイズ容器ついて詳細に説明する。
図１は本発明に係る歯科用液体材料用のスクイズ容器の一実施例を示した断面説明図。図２は本発明に係る歯科用液体材料用のスクイズ容器の他の実施例のノズルから胴体部の一部を示した断面説明図。
図３は本発明に係る歯科用液体材料用のスクイズ容器の更に他の実施例のノズルから胴体部の一部を示した断面説明図である。
【００１４】
図面中１は、本発明に係る歯科用液体材料用のスクイズ容器の上端に備えられ、その上部近傍に注出口１ｂを有するノズルである。ノズル１は、図１に示したように容器本体である胴体部３に取付けられるキャップ部１ａと一体で成形されていたり、図示していないが、キャップ部１ａに別部品として螺合，嵌合，接着等により備えられている。また、図１に示すように更に先端の尖ったノズル延長具１ｄを備え、より「ふりかけ法」に適したノズルとすることもできる。
【００１５】
図面中２は、本発明に係る歯科用液体材料用のスクイズ容器のノズル１の内側へ向かって１０〜４０ｍｍ突出して設けられている内径２ａが０．１〜１ｍｍのパイプである。パイプ２の外径は注出口１ｂの直径以上１０ｍｍ以下であり、径は一様であることが好ましい。また、パイプ２には内径２ａが０．１〜１ｍｍの孔以外には内容液Ｍである歯科用液体材料が出入りするための孔は存在しないことが好ましい。内径２ａが０．１ｍｍ未満であると歯科用液体材料を小さなカップ等へ出す時間がかかってしまい、１ｍｍを超えると歯科用液体材料がノズルから出始める時に一瞬だけ勢い良くノズル先端から飛び出す現象を抑える効果が得られない。内径２ａは０．２〜０．７ｍｍであることがより好ましい。
【００１６】
パイプ２は、ノズル１の内側へ向かって１０〜４０ｍｍ突出して設けられていることが必要であり、内径以外には歯科用液体材料や空気が入らない状態でノズル１に設けられていることが好ましい。パイプ２の突出部Ｌが１０ｍｍ未満であると歯科用液体材料がノズルから出始める時に一瞬だけ勢い良くノズル先端から飛び出す現象を抑える効果が得られず、また液をカップ等に排出している際にも使用者が排出を止めようとしてスクイズを緩めても直ちに排出が止まらない。４０ｍｍを超えると収容物である歯科用液体材料の残量が少なくなったときに排出できない歯科用液体材料の量が多くなってしまう。この突出部Ｌは１０〜２５ｍｍであることがより好ましい。
【００１７】
パイプ２を設けるための最も簡単な方法は、図１の実施例に示したようにノズル１の内側にパイプ２を直接嵌め込んで必要により接着する方法である。この場合の突出部Ｌはノズル１付根（パイプ２の側面がのノズル１の内側から離れた場所）からのパイプ２の先端までの長さとなる。また、図２に示す実施例ようなノズル１内に形成されたパイプ取付部１ｃを介してパイプ２を取付けたときには、パイプ取付部１ｃの外径が１０ｍｍ以下であればパイプ取付部１ｃもパイプ２として扱い、このときのパイプの突出部Ｌはパイプ取付部１ｃの付根からパイプ２の先端までの長さとなる。また、図３に示すようにパイプ（２）がノズル（１）と一体で成形されていても良い。
【００１８】
図面中３は内容液Ｍである歯科用液体材料を入れるスクイズ容器の胴体部である。胴体部３は可撓性を有し、メチルメタクリレート等の歯科用液体材料に使用されるモノマー類やアセトン，エタノール等の溶媒を長期保管可能である材質で構成されている。材質としては例えば、ポリアクリロニトリル樹脂、ポリカーボネイト系樹脂、ポリエステル系樹脂、ポリプロピレン系樹脂、ポリエチレン系樹脂及びポリアリレート系樹脂や、ポリエステル系樹脂、ポリプロピレン系樹脂、ポリエチレン系樹脂及びポリアミド系樹脂等の樹脂を単層あるいは積層して使用したり、厚さを抑えた各種金属等を自由に使用できる。
【図面の簡単な説明】
【００１９】
【図１】本発明に係る歯科用液体材料用のスクイズ容器の一実施例を示した断面説明図。
【図２】本発明に係る歯科用液体材料用のスクイズ容器の他の実施例のノズルから胴体部の一部を示した断面説明図。
【図３】本発明に係る歯科用液体材料用のスクイズ容器の更に他の実施例のノズルから胴体部の一部を示した断面説明図。
【符号の説明】
【００２０】
１  ノズル
１ａ  キャップ部
１ｂ  注出口
１ｃ  パイプ取付部
１ｄ  ノズル延長具
２  パイプ
２ａ  内径
３  胴体部
Ｌ  パイプの突出部
Ｍ  内容液
【図１】
2006305064.tif 000003
【図２】
2006305064.tif 000004
【図３】
2006305064.tif 000005